(57)【特許請求の範囲】
【請求項１】
物体側より像側へ順に、正の屈折力の第１レンズ群、負の屈折力の第２レンズ群、正の屈折力の第３レンズ群、負の屈折力の第４レンズ群、正の屈折力の第５レンズ群より構成され、広角端に対して望遠端で前記第１レンズ群と前記第２レンズ群の間隔が増大し、前記第２レンズ群と前記第３レンズ群の間隔が減少し、前記第３レンズ群と前記第４レンズ群の間隔が変化し、前記第４レンズ群と前記第５レンズ群の間隔が増大し、
広角端から望遠端へのズーミングに際して、前記第５レンズ群が物体側に凸状の軌跡を描くように移動し、
前記第１レンズ群の焦点距離をｆ１、前記第４レンズ群の焦点距離をｆ４、広角端における全系の焦点距離をｆｗ、前記第１レンズ群の広角端から望遠端へのズーミングに伴う移動量をＭ１、広角端における前記第１レンズ群の最も物体側のレンズ面から像面までの距離をＴＤｗとするとき、
４．０＜ｆ１／ｆｗ＜１５．０
−１．００＜Ｍ１／ＴＤｗ＜−０．４６
２．０＜｜ｆ４｜／ｆｗ＜６．０
なる条件式を満足することを特徴とするズームレンズ。
【請求項２】
前記第２レンズ群の焦点距離をｆ２とするとき、
０．５＜｜ｆ２｜／ｆｗ＜２．５
なる条件式を満足することを特徴とする請求項１に記載のズームレンズ。
【請求項３】
前記第３レンズ群の焦点距離をｆ３とするとき、
１．０＜ｆ３／ｆｗ＜３．０
なる条件式を満足することを特徴とする請求項１又は２に記載のズームレンズ。
【請求項４】
前記第５レンズ群の焦点距離をｆ５とするとき、
３．０＜ｆ５／ｆｗ＜７．０
なる条件式を満足することを特徴とする請求項１乃至３のいずれか１項に記載のズームレンズ。
【請求項５】
前記第１レンズ群の最も物体側のレンズ面から前記第１レンズ群の最も像側のレンズ面までの距離をＤＬ１、望遠端における全系の焦点距離をｆｔとするとき、
０．０３＜ＤＬ１／ｆｔ＜０．１５
なる条件式を満足することを特徴とする請求項１乃至４のいずれか１項に記載のズームレンズ。
【請求項６】
前記第２レンズ群の最も物体側のレンズ面から前記第２レンズ群の最も像側のレンズ面までの距離をＤＬ２、望遠端における全系の焦点距離をｆｔとするとき、
０．０３＜ＤＬ２／ｆｔ＜０．１５
なる条件式を満足することを特徴とする請求項１乃至５のいずれか１項に記載のズームレンズ。
【請求項７】
前記第１レンズ群は最も物体側に、負レンズと正レンズを接合した接合レンズを有し、前記接合レンズの最も物体側のレンズ面の曲率半径をＲ１ａ、前記接合レンズの最も像側のレンズ面の曲率半径をＲ１ｂとするとき、
−２．０＜（Ｒ１ａ＋Ｒ１ｂ）／（Ｒ１ａ−Ｒ１ｂ）＜−０．７
なる条件式を満足することを特徴とする請求項１乃至６のいずれか１項に記載のズームレンズ。
【請求項８】
前記第２レンズ群は最も物体側に負レンズを有し、前記負レンズの物体側のレンズ面の曲率半径をＲ２ａ、前記負レンズの像側のレンズ面の曲率半径をＲ２ｂとするとき、
０．５＜（Ｒ２ａ＋Ｒ２ｂ）／（Ｒ２ａ−Ｒ２ｂ）＜１．２
なる条件式を満足することを特徴とする請求項１乃至７のいずれか１項に記載のズームレンズ。
【請求項９】
前記第４レンズ群は１枚の負レンズより構成され、前記負レンズの物体側のレンズ面の曲率半径をＲ４ａ、前記負レンズの像側のレンズ面の曲率半径をＲ４ｂとするとき、
−０．７＜（Ｒ４ａ＋Ｒ４ｂ）／（Ｒ４ａ−Ｒ４ｂ）＜０．２
なる条件式を満足することを特徴とする請求項１乃至８のいずれか１項に記載のズームレンズ。
【請求項１０】
広角端における前記第４レンズ群と前記第５レンズ群の間隔をＤ４５ｗ、望遠端における前記第４レンズ群と前記第５レンズ群の間隔をＤ４５ｔとするとき、
１．５＜（Ｄ４５ｔ−Ｄ４５ｗ）／ｆｗ＜４．３
なる条件式を満足することを特徴とする請求項１乃至９のいずれか１項に記載のズームレンズ。
【請求項１１】
物体側より像側へ順に、正の屈折力の第１レンズ群、負の屈折力の第２レンズ群、正の屈折力の第３レンズ群、負の屈折力の第４レンズ群、正の屈折力の第５レンズ群より構成され、広角端に対して望遠端で前記第１レンズ群と前記第２レンズ群の間隔が増大し、前記第２レンズ群と前記第３レンズ群の間隔が減少し、前記第３レンズ群と前記第４レンズ群の間隔が変化し、前記第４レンズ群と前記第５レンズ群の間隔が増大し、
前記第４レンズ群は１枚の負レンズより構成され、
前記第１レンズ群の焦点距離をｆ１、前記第４レンズ群の焦点距離をｆ４、広角端における全系の焦点距離をｆｗ、前記第１レンズ群の広角端から望遠端へのズーミングに伴う移動量をＭ１、広角端における前記第１レンズ群の最も物体側のレンズ面から像面までの距離をＴＤｗ、前記負レンズの物体側のレンズ面の曲率半径をＲ４ａ、前記負レンズの像側のレンズ面の曲率半径をＲ４ｂとするとき、
４．０＜ｆ１／ｆｗ＜１５．０
−１．００＜Ｍ１／ＴＤｗ＜−０．４６
２．０＜｜ｆ４｜／ｆｗ＜６．０
−０．７＜（Ｒ４ａ＋Ｒ４ｂ）／（Ｒ４ａ−Ｒ４ｂ）＜０．２
なる条件式を満足することを特徴とするズームレンズ。
【請求項１２】
請求項１乃至１１のいずれか１項に記載のズームレンズと、前記ズームレンズによって形成された像を受光する固体撮像素子を有していることを特徴とする撮像装置。
【発明の詳細な説明】
【技術分野】
【０００１】
本発明はズームレンズ及びそれを有する撮像装置に関し、例えばビデオカメラや電子スチルカメラ、放送用カメラ、監視カメラ等のように固体撮像素子を用いた撮像装置、或いは銀塩フィルムを用いたカメラ等の撮像装置に好適なものである。
【背景技術】
【０００２】
近年、固体撮像素子を用いたビデオカメラ、デジタルスチルカメラ、放送用カメラ、監視カメラ、そして銀塩フィルムを用いたカメラ等の撮像装置は高機能化され、又装置全体が小型化されている。そしてそれに用いる撮影光学系としてレンズ全長が短く、コンパクト（小型）で高ズーム比（高変倍比）で、しかも高解像力のズームレンズであることが要求されている。これらの要求に応えるズームレンズとして、物体側に正の屈折力のレンズ群を配置したポジティブリード型のズームレンズが知られている。ポジティブリード型のズームレンズとして、物体側より像側へ順に正、負、正、負、正の屈折力の５つのレンズ群より成るズームレンズが知られている（特許文献１、２）。
【先行技術文献】
【特許文献】
【０００３】
【特許文献１】特開２００１−３５００９３号公報
【特許文献２】特開２００４−１１７８２６号公報
【発明の概要】
【発明が解決しようとする課題】
【０００４】
一般に高ズーム比を確保しつつズームレンズ全体を小型にするためには、ズームレンズを構成する各レンズ群の屈折力を強めつつ、レンズ枚数を削減すれば良い。しかしながら、このようなズームレンズは、各レンズ面の屈折力の増加に伴いレンズ肉厚が増すと同時に諸収差の補正が困難になってくる。前述した５群ズームレンズにおいて、高ズーム比とレンズ系全体の小型化を図りつつ、良好な光学性能を得るには、各レンズ群の屈折力や各レンズ群のズーミングに伴う移動条件等を適切に設定することが重要となる。特にズーム比１２倍程度の高ズーム比を確保しつつ、全ズーム範囲にわたり高い光学性能を得るには、第１レンズ群のズーミングに伴う移動条件、第１、第４レンズ群の屈折力（焦点距離の逆数）等を適切に設定することが重要となってくる。これらの構成を適切に設定しないと、前玉有効径の小型化を図り、かつ高ズーム比を確保しつつ、全ズーム範囲で高い光学性能を得るのが大変困難になってくる。
【０００５】
本発明は高ズーム比で前玉有効径が小型であり、かつ全ズーム範囲にわたり高い光学性能が得られる小型のズームレンズ及びそれを有する撮像装置の提供を目的とする。
【課題を解決するための手段】
【０００６】
本発明のズームレンズは、物体側より像側へ順に、正の屈折力の第１レンズ群、負の屈折力の第２レンズ群、正の屈折力の第３レンズ群、負の屈折力の第４レンズ群、正の屈折力の第５レンズ群より構成され、広角端に対して望遠端で前記第１レンズ群と前記第２レンズ群の間隔が増大し、前記第２レンズ群と前記第３レンズ群の間隔が減少し、前記第３レンズ群と前記第４レンズ群の間隔が変化し、前記第４レンズ群と前記第５レンズ群の間隔が増大し、
広角端から望遠端へのズーミングに際して、前記第５レンズ群が物体側に凸状の軌跡を描くように移動し、
前記第１レンズ群の焦点距離をｆ１、前記第４レンズ群の焦点距離をｆ４、広角端における全系の焦点距離をｆｗ、前記第１レンズ群の広角端から望遠端へのズーミングに伴う移動量をＭ１、広角端における前記第１レンズ群の最も物体側のレンズ面から像面までの距離をＴＤｗとするとき、
４．０＜ｆ１／ｆｗ＜１５．０
−１．００＜Ｍ１／ＴＤｗ＜−０．４６
２．０＜｜ｆ４｜／ｆｗ＜６．０
なる条件式を満足することを特徴としている。
この他、本発明のズームレンズは、物体側より像側へ順に、正の屈折力の第１レンズ群、負の屈折力の第２レンズ群、正の屈折力の第３レンズ群、負の屈折力の第４レンズ群、正の屈折力の第５レンズ群より構成され、広角端に対して望遠端で前記第１レンズ群と前記第２レンズ群の間隔が増大し、前記第２レンズ群と前記第３レンズ群の間隔が減少し、前記第３レンズ群と前記第４レンズ群の間隔が変化し、前記第４レンズ群と前記第５レンズ群の間隔が増大し、
前記第４レンズ群は１枚の負レンズより構成され、
前記第１レンズ群の焦点距離をｆ１、前記第４レンズ群の焦点距離をｆ４、広角端における全系の焦点距離をｆｗ、前記第１レンズ群の広角端から望遠端へのズーミングに伴う移動量をＭ１、広角端における前記第１レンズ群の最も物体側のレンズ面から像面までの距離をＴＤｗ、前記負レンズの物体側のレンズ面の曲率半径をＲ４ａ、前記負レンズの像側のレンズ面の曲率半径をＲ４ｂとするとき、
４．０＜ｆ１／ｆｗ＜１５．０
−１．００＜Ｍ１／ＴＤｗ＜−０．４６
２．０＜｜ｆ４｜／ｆｗ＜６．０
−０．７＜（Ｒ４ａ＋Ｒ４ｂ）／（Ｒ４ａ−Ｒ４ｂ）＜０．２
なる条件式を満足することを特徴としている。
【発明の効果】
【０００７】
本発明によれば、高ズーム比で前玉有効径が小型であり、かつ全ズーム範囲にわたり高い光学性能が得られる小型のズームレンズが得られる。
【図面の簡単な説明】
【０００８】
【図１】（Ａ）、（Ｂ）、（Ｃ）本発明の実施例１の広角端、中間のズーム位置、望遠端におけるレンズ断面図
【図２】（Ａ）、（Ｂ）、（Ｃ）本発明の実施例１のズームレンズの広角端、中間のズーム位置、望遠端における収差図
【図３】（Ａ）、（Ｂ）、（Ｃ）本発明の実施例２の広角端、中間のズーム位置、望遠端におけるレンズ断面図
【図４】Ａ）、（Ｂ）、（Ｃ）本発明の実施例２のズームレンズの広角端、中間のズーム位置、望遠端における収差図
【図５】（Ａ）、（Ｂ）、（Ｃ）本発明の実施例３の広角端、中間のズーム位置、望遠端におけるレンズ断面図
【図６】（Ａ）、（Ｂ）、（Ｃ）本発明の実施例３のズームレンズの広角端、中間のズーム位置、望遠端における収差図
【図７】（Ａ）、（Ｂ）、（Ｃ）本発明の実施例４の広角端、中間のズーム位置、望遠端におけるレンズ断面図
【図８】（Ａ）、（Ｂ）、（Ｃ）本発明の実施例４のズームレンズの広角端、中間のズーム位置、望遠端における収差図
【図９】（Ａ）、（Ｂ）、（Ｃ）本発明の実施例５の広角端、中間のズーム位置、望遠端におけるレンズ断面図
【図１０】（Ａ）、（Ｂ）、（Ｃ）本発明の実施例５のズームレンズの広角端、中間のズーム位置、望遠端における収差図
【図１１】本発明の撮像装置の要部概略図
【発明を実施するための形態】
【０００９】
以下に、本発明の好ましい実施の形態を、添付の図面に基づいて詳細に説明する。本発明のズームレンズは、物体側より像側へ順に、正の屈折力の第１レンズ群、負の屈折力の第２レンズ群、正の屈折力の第３レンズ群、負の屈折力の第４レンズ群、正の屈折力の第５レンズ群より構成されている。そして、ズーミングに際して広角端に対して望遠端で第１レンズ群と第２レンズ群との間隔が増大し、第２レンズ群と第３レンズ群との間隔が減少し、第３レンズ群と第４レンズ群との間隔が変化する。更に、第４レンズ群と第５レンズ群との間隔が増大するように各レンズ群が移動する。
【００１０】
図１（Ａ）、（Ｂ）、（Ｃ）は本発明の実施例１のズームレンズの広角端（短焦点距離端）、中間のズーム位置、望遠端（長焦点距離端）におけるレンズ断面図である。図２（Ａ）、（Ｂ）、（Ｃ）は本発明の実施例１のズームレンズの広角端、中間のズーム位置、望遠端における収差図である。実施例１はズーム比１３．３２、開口比３．２１〜６．０８程度のズームレンズである。図３（Ａ）、（Ｂ）、（Ｃ）は本発明の実施例２のズームレンズの広角端、中間のズーム位置、望遠端におけるレンズ断面図である。図４（Ａ）、（Ｂ）、（Ｃ）は本発明の実施例２のズームレンズの広角端、中間のズーム位置、望遠端における収差図である。実施例２はズーム比１３．３２、開口比３．５５〜６．０９程度のズームレンズである。
【００１１】
図５（Ａ）、（Ｂ）、（Ｃ）は本発明の実施例３のズームレンズの広角端、中間のズーム位置、望遠端におけるレンズ断面図である。図６（Ａ）、（Ｂ）、（Ｃ）は本発明の実施例３のズームレンズの広角端、中間のズーム位置、望遠端における収差図である。実施例３はズーム比１１．５３、開口比３．５８〜６．０９程度のズームレンズである。図７（Ａ）、（Ｂ）、（Ｃ）は本発明の実施例４のズームレンズの広角端、中間のズーム位置、望遠端におけるレンズ断面図である。図８（Ａ）、（Ｂ）、（Ｃ）は本発明の実施例４のズームレンズの広角端、中間のズーム位置、望遠端における収差図である。実施例４はズーム比１２．７１、開口比３．４８〜６．０９程度のズームレンズである。図９（Ａ）、（Ｂ）、（Ｃ）は本発明の実施例５のズームレンズの広角端、中間のズーム位置、望遠端におけるレンズ断面図である。図１０（Ａ）、（Ｂ）、（Ｃ）は本発明の実施例５のズームレンズの広角端、中間のズーム位置、望遠端における収差図である。実施例５はズーム比１３．６１、開口比３．０８〜６．０８程度のズームレンズである。図１１は本発明の撮像装置の要部概略図である。
【００１２】
本発明のズームレンズはデジタルカメラ、ビデオカメラ、銀塩フィルム用カメラ等の撮像装置や望遠鏡、双眼鏡の観察装置、複写機、プロジェクター等の光学機器に用いられるものである。レンズ断面図において、左方が前方（物体側、拡大側）で右方が後方（像側、縮小側）である。レンズ断面図において、ｉは物体側から像側へ数えたときの各レンズ群の順序を示し、Ｌｉは第ｉレンズ群である。各実施例のレンズ断面図において、Ｌ１は正の屈折力（光学的パワー＝焦点距離の逆数）の第１レンズ群、Ｌ２は負の屈折力の第２レンズ群、Ｌ３は正の屈折力の第３レンズ群、Ｌ４は負の屈折力の第４レンズ群、Ｌ５は正の屈折力の第５レンズ群である。
【００１３】
ＳＰは開放Ｆナンバー（Ｆｎｏ）光束を決定（制限）する開口絞りの作用をするＦナンバー決定部材（以下「開口絞り」ともいう。）であり、第３レンズ群Ｌ３中に配置されている。Ｇは光学フィルター、フェースプレート、水晶ローパスフィルター、赤外カットフィルター等に相当する光学ブロックである。ＩＰは像面であり、ビデオカメラやデジタルスチルカメラの撮影光学系として使用する際にはＣＣＤセンサやＣＭＯＳセンサ等の固体撮像素子（光電変換素子）の撮像面が置かれる。又、銀塩フィルム用カメラの撮影光学系として使用する際にはフィルム面に相当する感光面が置かれている。収差図において、ｄ、ｇは各々ｄ線及びｇ線、ΔＭ、ΔＳはメリディオナル像面、サジタル像面、倍率色収差はｇ線によって表している。
【００１４】
各実施例のズームレンズでは、広角端から望遠端へのズーミングに際して、各レンズ群が次のように移動する。第１レンズ群Ｌ１と第２レンズ群Ｌ２との間隔が広がるよう、第２レンズ群Ｌ２と第３レンズ群Ｌ３との間隔が狭まるよう、第３レンズ群と第４レンズ群Ｌ４との間隔が変化するよう、第４レンズ群と第５レンズ群Ｌ５の間隔が広がるように移動している。このとき広角端に対して望遠端では、第１レンズ群Ｌ１、第３レンズ群Ｌ３、第４レンズ群Ｌ４は物体側に位置している。また第２レンズ群Ｌ２は像側に凸状の軌跡を描いて、第５レンズ群Ｌ５は物体側に凸状の軌跡を描いて移動している。Ｆナンバー決定部材ＳＰは、光軸方向に関して、第３レンズ群Ｌ３内に配置している。開口絞りＳＰをこのように配置することにより望遠端における第２レンズ群Ｌ２と第３レンズ群Ｌ３の間隔が詰められるため、ズーミングのための第２レンズ群Ｌ２と第３レンズ群Ｌ３との間隔変化量を十分確保することができる。これにより高ズーム比のズームレンズを容易に達成している。
【００１５】
各実施例のズームレンズでは、第１レンズ群Ｌ１と第２レンズ群Ｌ２の屈折力をある程度強めることで広角端において、第１レンズ群Ｌ１と開口絞りＳＰとの距離を小さくしている。これにより第１レンズ群Ｌ１のレンズ径の小型化を図っている。また第３レンズ群Ｌ３と、第５レンズ群Ｌ５の屈折力をある程度強めることで開口絞りＳＰから像面ＩＰまでの距離を小さく（短く）している。これにより広角端におけるレンズ全長短（第１レンズ面から像面までの距離）を短縮している。各実施例のズームレンズでは、広角端から望遠端へのズーミングに際して第１レンズ群Ｌ１を物体側に移動させ、広角端に比べ望遠端において第１レンズ群Ｌ１と第２レンズ群Ｌ２の間隔を広げることで変倍作用（ズーム作用）を得ている。さらに広角端から望遠端へのズーミングに際して第３レンズ群を物体側に移動させ広角端に比べて望遠端において第２レンズ群Ｌ２と第３レンズ群Ｌ３の間隔を狭めることで変倍作用を得ている。
【００１６】
さらに広角端に比べて望遠端において第３レンズ群Ｌ３と第４レンズ群Ｌ４との間隔を広げることで変倍作用を得ている。このように変倍作用を各レンズ群間の複数の箇所で分担することにより高ズーム比としながら変倍のための移動ストロークを短縮して望遠端においてレンズ全長を短縮している。変倍に伴うピント変動は第５レンズ群Ｌ５を物体側へ凸形状となる軌跡を描いて移動することで補正している。無限遠物体から近距離物体へのフォーカシングは第１レンズ群Ｌ１もしくは第５レンズ群Ｌ５を物体側に移動させることで行っている。以上のような構成とすることで広角端および望遠端においてレンズ全長を短縮しつつ、高ズーム比化を図っている。なお各実施例では任意のレンズ群を光軸に対し垂直な方向の成分を持つように移動させて結像位置の変移を行い手ぶれ補正（防振）を行っている。
【００１７】
次に各レンズ群のレンズ構成について説明する。第１レンズ群Ｌ１は物体側より像側へ順に、負レンズ１１と正レンズ１２を接合した接合レンズ１４、物体側の面が凸でメニスカス形状の正レンズ１３で構成している。各実施例では小型で高ズーム比とするために第１レンズ群Ｌ１の屈折力をある程度強めている。このとき第１レンズ群Ｌ１で発生する諸収差、特に望遠側において球面収差が多く発生してくる。そこで各実施例では第１レンズ群Ｌ１の正の屈折力を全体として正の屈折力の接合レンズ１４と正レンズ１３で分担しこれら収差の発生を低減している。第２レンズ群Ｌ２は物体側より像側へ順に像側の面が凹形状の負レンズ２１、両凹形状の負レンズ２２、物体側の面が凸形状の正レンズ２３で構成している。各実施例では広角端において広い画角を得ながら第１レンズ群Ｌ１を小型化するために第２レンズ群Ｌ２の屈折力をある程度強めている。このとき第２レンズ群Ｌ２で発生する諸収差、特に広角側における像面彎曲、望遠側における球面収差が多く発生してくる。そこで各実施例では第２レンズ群Ｌ２の負の屈折力を２つの負レンズ２１、２２で分担し、これら諸収差の発生を低減している。このようなレンズ構成により広画角化を図りながら前玉有効径の小型化と高い光学性能が得られるようにしている。
【００１８】
第３レンズ群ｌ３は物体側より像側へ順に、物体側の面が凸形状の正レンズ３１、像側の面が凹形状の負レンズ３２、正レンズ３３で構成している。各実施例では第３レンズ群Ｌ３の変倍作用を強めるとともに広角端におけるレンズ全長を短縮するために第３レンズ群Ｌ３の屈折力をある程度強めている。このとき第３レンズ群Ｌ３で発生する諸収差、特にズーム領域全域に渡る球面収差、コマ収差、軸上色収差が多く発生してくる。そこで各実施例では第３レンズ群Ｌ３の正の屈折力を２つの正レンズで分担することによりこれ諸収差の発生を低減している。第４レンズ群Ｌ４は１つの負レンズ４１のみで構成している。各実施例では少ない構成レンズ枚数で第４レンズ群Ｌ４を構成することで全系の薄型化及び軽量化を図っている。
【００１９】
図１、図３、図９において第５レンズ群ｌ５は物体側より像側へ順に、正レンズ５１と、負レンズ５２とを接合した接合レンズ５３で構成している。接合レンズ５３とすることで第５レンズ群Ｌ５の屈折力をある程度強めた場合でもズーム領域全域にて倍率色収差の発生を良好に抑えている。図５、図７において第５レンズ群Ｌ５は１つの正レンズ５１のみで構成している。第５レンズ群Ｌ５の屈折力をあまり強めなければ１枚の正レンズでも倍率色収差の発生を少なくすることができる。この場合は第５レンズ群Ｌ５の薄型化及び、軽量化が容易となる。特に第５レンズ群Ｌ５にてフォーカシングする場合は迅速な合焦（フォーカス）が容易となる。各実施例のズームレンズは以下の条件を満足するようにしている。第１レンズ群Ｌ１と第４レンズ群Ｌ４の焦点距離を各々ｆ１、ｆ４とする。広角端における全系の焦点距離をｆｗ、第１レンズ群Ｌ１の広角端から望遠端へのズーミングに伴う移動量（符号は像側に移動する場合を正）をＭ１とする。広角端における第１レンズ群Ｌ１の最も物体側のレンズ面から像面までの距離をＴＤｗ、第４レンズ群Ｌ４の焦点距離をｆ４とする。このとき、
４．０＜ｆ１／ｆｗ＜１５．０            ‥‥‥（１）
−１．００＜Ｍ１／ＴＤｗ＜−０．４６    ‥‥‥（２）
２．０＜｜ｆ４｜／ｆｗ＜６．０          ‥‥‥（３）
なる条件式を満足するようにしている。
【００２０】
条件式（１）は第１レンズ群Ｌ１の焦点距離すなわち屈折力を規定する式である。上限を超えて屈折力が弱すぎると変倍作用が弱まる。この結果、高ズーム比を得るため第１レンズ群Ｌ１のズーミングに伴う移動量を増やして変倍作用を補おうとすると望遠端において全長が増大してくる。また第３レンズ群Ｌ３の屈折力を強めて第１レンズ群Ｌ１の変倍作用を補おうとすると球面収差、コマ収差、軸上色収差等の諸収差が多く発生してくる。収差補正のために第１レンズ群Ｌ１のレンズ枚数を増加すると第１レンズ群Ｌ１の厚みが増大し小型化が困難になる。一方、条件式（１）の下限を超えて屈折力が強すぎると望遠側において第１レンズ群Ｌ１より球面収差が多く発生してくる。望遠側において球面収差を補正するために第１レンズ群Ｌ１のレンズ枚数を増加すると第１レンズ群Ｌ１が大型化し、かつ前玉有効径が増大してくるので好ましくない。
【００２１】
条件式（２）は第１レンズ群Ｌ１のズーミングの際の移動量を規定する式である。上限を超えて物体側への移動量が小さすぎる場合は変倍作用が弱まる。第１レンズ群Ｌ１の屈折力を強めて変倍作用を補おうとすると望遠側において球面収差が多く発生してくる。また第２レンズ群Ｌ２の屈折力を強めて変倍作用を補おうとすると広角側において像面彎曲、望遠側において球面収差が多く発生してくる。また移動量Ｍ１に対して距離ＴＤｗが大きくて上限値を超える場合もある。この場合は広角端のレンズ全長が長く前玉有効径が大きくなるので良くない。一方、条件式（２）の下限を超えて物体側への移動量が大きすぎる場合は望遠端においてレンズ全長が増大し、全系の小型化が困難になる。
【００２２】
条件式（３）は第４レンズ群Ｌ４の焦点距離すなわち屈折力を規定する式である。上限を超えて屈折力が弱すぎると変倍作用が弱まり所望のズーム比が得られなくなってくる。また下限を超えて屈折力が強すぎると球面収差、軸上色収差等が多く発生してくる。これらの諸収差補正のためにレンズ枚数を増やすと第４レンズ群Ｌ４が大型化してくるので良くない。各実施例において更に好ましくは条件式（１）〜（３）の数値範囲を次の如く設定するのが良い。
【００２３】
５．０＜ｆ１／ｆｗ＜１３．０            ‥‥‥（１ａ）
−０．９０＜Ｍ１／ＴＤｗ＜−０．４６    ‥‥‥（２ａ）
３．０＜｜ｆ４｜／ｆｗ＜５．６          ‥‥‥（３ａ）
以上のように各実施例によればポジティブリード型のズームレンズにおいて、レンズ全長が短く前玉有効径が小型で、さらに高ズーム比としながらズーム領域全域に渡り諸収差が良好に補正され、高い光学性能が得られる。各実施例において更に好ましくは次の諸条件のうちの１以上を満足するのが良い。
【００２４】
第２、第３、第５レンズ群Ｌ２、Ｌ３、Ｌ５の焦点距離を各々ｆ２、ｆ３、ｆ５とする。第１レンズ群Ｌ１の最も物体側に位置するレンズ面から第１レンズ群Ｌ１の最も像側に位置するレンズ面までの距離をＤＬ１、望遠端における全系の焦点距離をｆｔとする。第２レンズ群Ｌ２の最も物体側に位置するレンズ面から第２レンズ群Ｌ２の最も像側に位置するレンズ面までの距離をＤＬ２とする。第１レンズ群Ｌ１は最も物体側に、負レンズと正レンズを接合した接合レンズを有し、接合レンズの最も物体側レンズ面の曲率半径をＲ１ａ、接合レンズの最も像側レンズ面の曲率半径をＲ１ｂとする。第２レンズ群Ｌ２は最も物体側に負レンズを有し、負レンズの物体側のレンズ面の曲率半径をＲ２ａ、負レンズの像側のレンズ面の曲率半径をＲ２ｂとする。第４レンズ群Ｌ４は１枚の負レンズにて構成され、負レンズの物体側のレンズ面の曲率半径をＲ４ａ、負レンズの像側のレンズ面の曲率半径をＲ４ｂとする。広角端における第４レンズ群Ｌ４と第５レンズ群Ｌ５との間隔をＤ４５ｗ、望遠端における第４レンズ群Ｌ４と第５レンズ群Ｌ５との間隔をＤ４５ｔとする。このとき以下の条件式のうち１以上を満足することが好ましい。
【００２５】
０．５＜｜ｆ２｜／ｆｗ＜２．５          ‥‥‥（４）
１．０＜ｆ３／ｆｗ＜３．０              ‥‥‥（５）
３．０＜ｆ５／ｆｗ＜７．０              ‥‥‥（６）
０．０３＜ＤＬ１／ｆｔ＜０．１５        ‥‥‥（７）
０．０３＜ＤＬ２／ｆｔ＜０．１５        ‥‥‥（８）
−２．０＜（Ｒ１ａ＋Ｒ１ｂ）／（Ｒ１ａ−Ｒ１ｂ）＜−０．７  ‥‥‥（９）
０．５＜（Ｒ２ａ＋Ｒ２ｂ）／（Ｒ２ａ−Ｒ２ｂ）＜１．２      ‥‥‥（１０）
−０．７＜（Ｒ４ａ＋Ｒ４ｂ）／（Ｒ４ａ−Ｒ４ｂ）＜０．２    ‥‥‥（１１）
１．５＜（Ｄ４５ｔ−Ｄ４５ｗ）／ｆｗ＜４．３                ‥‥‥（１２）
条件式（４）は第２レンズ群Ｌ２の焦点距離すなわち屈折力を規定する式である。上限を超えて屈折力が弱すぎると第２レンズ群Ｌ２の変倍作用が薄れ所望のズーム比が得られなくなってくる。また下限を超えて屈折力が強すぎると第２レンズ群Ｌ２より広角側において像面彎曲、望遠側において球面収差が多く発生してくる。
【００２６】
条件式（５）は第３レンズ群Ｌ３の焦点距離すなわち屈折力を規定する式である。上限を超えて屈折力が弱すぎると第３レンズ群Ｌ３の変倍作用が薄れ所望のズーム比が得られなくなってくる。また下限を超えて屈折力が強すぎると第３レンズ群Ｌ３より球面収差、コマ収差、軸上色収差等が多く発生してくる。
【００２７】
条件式（６）は第５レンズ群Ｌ５の焦点距離すなわち屈折力を規定する式である。上限を超えて屈折力が弱すぎるとピント変動を補正する効果が薄れフォーカシングのための移動量が長くなってくる。これにより迅速なフォーカシングが困難になってくる。また下限を超えて屈折力が強すぎるとペッツバール和が増大しズーム領域全域にて像面彎曲が多く発生してくる。また構成レンズ枚数を増やして像面彎曲の発生を軽減しようとするとレンズ重量が増大するため第４レンズ群Ｌ４を駆動するためのトルクが増大してくるので良くない。
【００２８】
条件式（７）は第１レンズ群Ｌ１の光軸方向の厚みを規定する式である。上限を超えて厚すぎるとレンズ全長が増大し前玉有効径が大きくなり、全系の小型化が困難になる。また下限を超えて薄すぎると第１レンズ群Ｌ１をある程度屈折力を強めることが難しくなり高ズーム化が困難となる。
【００２９】
条件式（８）は第２レンズ群Ｌ２の光軸方向の厚みを規定する式である。上限を超えて厚すぎるとレンズ全長が増大し前玉有効径が大きくなり、全系の小型化が困難になる。また下限を超えて薄すぎると第２レンズ群Ｌ２をある程度屈折力を強めることが難しくなり高ズーム化が困難となる。
【００３０】
条件式（９）は第１レンズ群Ｌ１の接合レンズ１４の形状因子（レンズ形状）を規定する式である。式の値が−１より大きいと像側のレンズ面が像側に凸面を向けた形状となる。上限を越えて像側のレンズ面の凸形状の曲率が大きくなりすぎると広角側において像面彎曲、倍率色収差等が多く発生してくる。式の値が−１より小さいと物体側に凸面を向けたメニスカス形状となる。下限を超えてメニスカスの度合いが強すぎると望遠側において球面収差が多く発生してくる。
【００３１】
条件式（１０）は第２レンズ群Ｌ２の負レンズ２１の形状因子を規定する式である。式の値が１より大きいと像側に凹面を向けたメニスカス形状となる。上限を越えてメニスカスの度合いが強すぎると望遠側において球面収差が補正過剰となってくる。式の値が０より小さいと物体側のレンズ面が物体側に凹面を向けた形状となる。下限を超えて物体側のレンズ面の曲率が大きくなりすぎると広角側において像面彎曲や歪曲収差等が多く発生してくる。
【００３２】
条件式（１１）は第４レンズ群Ｌ４の負レンズ４１の形状因子を規定する式である。式の値が０より大きいと像側のレンズ面が像側に凹面を向けた形状となる。上限を越えて像側のレンズ面の曲率が大きくなりすぎるとズーム領域全域にわたり軸外光束において非点隔差が多く発生してくる。式の値が０より小さいと物体側のレンズ面が物体側に凹面を向けた形状となる。下限を超えて物体側のレンズ面の曲率が大きくなりすぎるとズーム領域全域に渡り球面収差や軸上色収差が多く発生してくる。
【００３３】
条件式（１２）はズーミングに際しての第４レンズ群Ｌ４と第５レンズ群Ｌ５との間隔変化量を規定する式である。上限を越えて間隔変化量が大きすぎる場合は望遠端における第５レンズ群の位置が比較的像側にある場合に相当する。この場合は第５レンズ群Ｌ５の横倍率が大きくなりピント補正効果が弱まる。結果としてフォーカスの際の移動量が増大し迅速なフォーカシングが難しくなる。下限を超えて間隔変化量が小さすぎる場合は望遠端における第５レンズ群の位置が比較的物体側にある場合に相当する。この場合は広角端から望遠端に至る第５レンズ群Ｌ５のズーミングの際の移動ストロークが長くなるため駆動手段が大型化してくるので良くない。各実施例において更に好ましくは条件式（４）〜（１２）の数値範囲を次の如く設定するのが良い。
【００３４】
０．８＜｜ｆ２｜／ｆｗ＜２．０          ‥‥‥（４ａ）
１．３＜ｆ３／ｆｗ＜２．５              ‥‥‥（５ａ）
３．５＜ｆ５／ｆｗ＜６．５              ‥‥‥（６ａ）
０．０５＜ＤＬ１／ｆｔ＜０．１３        ‥‥‥（７ａ）
０．０５＜ＤＬ２／ｆｔ＜０．１３        ‥‥‥（８ａ）
−１．５＜（Ｒ１ａ＋Ｒ１ｂ）／（Ｒ１ａ−Ｒ１ｂ）＜−０．８０  ‥‥‥（９ａ）
０．６＜（Ｒ２ａ＋Ｒ２ｂ）／（Ｒ２ａ−Ｒ２ｂ）＜１．１      ‥‥‥（１０ａ）
−０．６＜（Ｒ４ａ＋Ｒ４ｂ）／（Ｒ４ａ−Ｒ４ｂ）＜０．１    ‥‥‥（１１ａ）
１．７＜（Ｄ４５ｔ−Ｄ４５ｗ）／ｆｗ＜４．０                ‥‥‥（１２ａ）
以上のように各実施例によれば、ポジティブリード型のズームレンズにおいて、レンズ全長が短く前玉有効径が小型で、さらに高ズーム比としながらズーム領域全域に渡り諸収差が良好に補正されたズームレンズが得られる。
【００３５】
次に本発明の各実施例に相当する数値実施例を示す。各数値実施例において、ｉは物体側からの面の順序を示す。数値実施例においてｒｉは物体側より順に第ｉ番目のレンズ面の曲率半径である。ｄｉは物体側より順に第ｉ番目のレンズ厚及び空気間隔である。ｎｄｉとνｄｉは各々物体側より順に第ｉ番目の材料のｄ線に対する屈折率、アッベ数である。非球面形状は光軸方向にＸ軸、光軸と垂直方向にＨ軸、光の進行方向を正としＲを近軸曲率半径、Kを円錐定数、A4，A6，A8，A10，A12を各々非球面係数としたとき
【００３６】
【数１】
0005523007.tif 000002
【００３７】
なる式で表している。また、［e+X］は［×10＋ｘ］を意味し、［e-X］は［×10-ｘ］を意味している。ＢＦはレンズ最終面から近軸像面までの距離（バックフォーカス）を空気換算したものである。レンズ全長はレンズ最前面（第１レンズ面）からレンズ最終面までの距離にバックフォーカスＢＦを加えたものである。非球面は面番号の後に*を付加して示す。前述の各条件式と数値実施例における諸数値の関係を表１に示す。
【００３８】
［数値実施例１］
単位 mm
面データ
面番号       r        d      nd         νd
1         47.198    0.90   1.84666    23.9           
2         28.488    2.50   1.49700    81.5           
3        539.546    0.20                             
4         27.858    1.95   1.69680    55.5           
5        130.634  (可変)                             
6       -142.993    1.03   1.85135    40.1           
7*         5.724    2.27                             
8        -32.718    0.60   1.80400    46.6           
9         20.754    0.20                             
10         10.630    1.40   1.94595    18.0           
11         41.156  (可変)                             
12*         7.790    1.40   1.58313    59.4           
13*       -42.498    0.92                             
14(絞り)    ∞       1.48                             
15         14.621    0.60   1.94595    18.0           
16          7.752    0.51                             
17         38.232    1.45   1.60311    60.6           
18        -10.112  (可変)                             
19        -22.588    0.50   1.48749    70.2           
20         23.874  (可変)                             
21         15.072    2.00   1.69680    55.5           
22        -42.895    0.60   1.72825    28.5           
23        240.459  (可変)                             
24          ∞       0.80   1.51633    64.1           
25          ∞       0.90 
像面        ∞   
非球面データ
第7面
K =-1.12918e+000  A 4= 7.09263e-004  A 6= 1.64697e-005  A 8=-3.81294e-007  A10=
1.79401e-008  
第12面
K =-1.22101e+000  A 4= 4.95648e-005  A 6= 7.55352e-006  A 8= 3.03893e-006  A10=
-1.83896e-007  
第13面
K =-1.36363e+002  A 4= 9.00236e-007  A 6= 2.00697e-005  A 8= 2.20070e-006  A10=
-1.36759e-007  
各種データ
ズーム比     13.32 
広角     中間     望遠
焦点距離       5.12    17.53    68.25  
Fナンバー      3.21     4.62     6.08  
画角          37.59    12.51     3.20  
像高           3.33     3.88     3.88  
レンズ全長    48.61    56.13    75.70  
BF             6.95    13.90     7.26  
d 5            0.95    11.54    25.33  
d11           15.79     4.21     0.71  
d18            1.90     2.57     3.04  
d20            2.51     3.39    18.85  
d23            5.52    12.48     5.84  
ズームレンズ群データ
群  始面    焦点距離  
1    1      41.07  
2    6      -6.74  
3   12      10.27  
4   19     -23.73  
5   21      23.41  
6   24       ∞ 
【００３９】
［数値実施例２］
単位 mm
面データ
面番号       r        d      nd         νd
1         46.105    0.90   1.84666    23.9           
2         28.149    2.50   1.49700    81.5           
3       -896.593    0.20                             
4         29.174    1.95   1.69680    55.5           
5        133.477  (可変)                             
6       -107.677    1.03   1.85135    40.1           
7*         5.781    2.23                             
8        -25.388    0.60   1.80400    46.6           
9         19.958    0.20                             
10         10.787    1.40   1.94595    18.0           
11         48.530  (可変)                             
12*         8.020    1.40   1.58313    59.4           
13*       -43.077    0.92                             
14(絞り)    ∞       1.48                             
15         14.032    0.60   1.94595    18.0           
16          7.726    0.37                             
17         28.459    1.45   1.60311    60.6           
18        -11.506  (可変)                             
19        -21.561    0.50   1.48749    70.2           
20         34.086  (可変)                             
21         16.262    2.00   1.69680    55.5           
22        -35.941    0.60   1.72825    28.5           
23       -616.530  (可変)                             
24          ∞       0.80   1.51633    64.1           
25          ∞       0.40 
像面        ∞   
非球面データ
第7面
K =-1.09648e+000  A 4= 7.01327e-004  A 6= 1.67084e-005  A 8=-4.05009e-007  A10=
2.30460e-008  
第12面
K =-1.13386e+000  A 4= 5.16885e-005  A 6=-3.63367e-006  A 8= 3.63312e-006  A10=
-1.67540e-007  
第13面
K =-1.42198e+002  A 4=-3.07739e-005  A 6= 8.68663e-006  A 8= 2.96062e-006  A10=
-1.33285e-007  
各種データ
ズーム比     13.32 
広角     中間     望遠
焦点距離       5.13    14.29    68.26  
Fナンバー      3.55     4.56     6.09  
画角          37.53    15.37     3.21  
像高           3.33     3.88     3.88  
レンズ全長    51.12    56.53    75.12  
BF             5.21    12.85     8.17  
d 5            0.97     8.78    24.55  
d11           16.79     5.54     0.52  
d18            1.90     2.05     4.62  
d20            5.93     6.98    16.94  
d23            4.28    11.92     7.24  
ズームレンズ群データ
群  始面    焦点距離  
1    1      39.90  
2    6      -6.36  
3   12      10.36  
4   19     -27.01  
5   21      23.19  
6   24       ∞  
【００４０】
［数値実施例３］
単位 mm
面データ
面番号       r        d      nd         νd
1         41.718    1.00   1.84666    23.9           
2         28.350    3.00   1.49700    81.5           
3        270.615    0.10                             
4         37.070    2.00   1.69680    55.5           
5        198.718  (可変)                             
6      -19399.678    1.03   1.85135    40.1           
7*         5.891    2.84                             
8        -35.292    0.60   1.80400    46.6           
9         19.252    0.20                             
10         10.873    1.40   1.94595    18.0           
11         38.100  (可変)                             
12*         7.535    1.40   1.58313    59.4           
13*       -39.703    0.92                             
14(絞り)    ∞       1.48                             
15         16.098    0.60   1.94595    18.0           
16          7.574    0.29                             
17         29.633    1.45   1.60311    60.6           
18         -9.543  (可変)                             
19        -25.546    0.50   1.48749    70.2           
20         21.446  (可変)                             
21         13.911    1.60   1.69680    55.5           
22         63.769  (可変)                             
23          ∞       0.80   1.51633    64.1           
24          ∞       0.40 
像面        ∞   
非球面データ
第7面
K =-1.10287e+000  A 4= 6.93044e-004  A 6= 1.62873e-005  A 8=-3.39845e-007  A10=
1.85149e-008  
第12面
K =-1.40191e+000  A 4= 6.64943e-005  A 6= 3.39935e-006  A 8= 3.85620e-007  A10=
2.94359e-008  
第13面
K =-1.23906e+002  A 4=-4.48665e-005  A 6= 1.24540e-005  A 8= 6.51078e-008  A10=
4.76659e-008  
各種データ
ズーム比     11.53 
広角     中間     望遠
焦点距離       4.40    14.86    50.75  
Fナンバー      3.58     5.03     6.09  
画角          43.44    14.53     4.30  
像高           3.33     3.88     3.88  
レンズ全長    48.63    54.86    72.66  
BF             8.14    13.00     9.57  
d 5            0.70    12.08    27.83  
d11           17.29     4.88     1.02  
d18            1.00     2.36     4.21  
d20            1.09     2.13     9.62  
d22            7.21    12.07     8.64  
ズームレンズ群データ
群  始面    焦点距離  
1    1      47.00  
2    6      -6.87  
3   12       9.96  
4   19     -23.83  
5   21      25.20  
6   23       ∞  
【００４１】
［数値実施例４］
単位 mm
面データ
面番号       r        d      nd         νd
1         45.137    0.80   1.84666    23.9           
2         26.751    2.00   1.49700    81.5           
3        316.073    0.20                             
4         25.509    1.80   1.69680    55.5           
5        138.290  (可変)                             
6        -45.848    0.90   1.85135    40.1           
7*         6.967    1.51                             
8        -26.682    0.60   1.80400    46.6           
9         19.054    0.20                             
10         10.997    1.20   1.94595    18.0           
11         64.566  (可変)                             
12*         7.931    1.40   1.58313    59.4           
13*       -49.743    0.92                             
14(絞り)    ∞       1.48                             
15         15.005    0.60   1.94595    18.0           
16          7.889    0.42                             
17         28.965    1.45   1.60311    60.6           
18        -11.148  (可変)                             
19        -18.255    0.50   1.48749    70.2           
20         31.033  (可変)                             
21         14.715    1.80   1.69680    55.5           
22         95.464  (可変)                             
23          ∞       0.80   1.51633    64.1           
24          ∞       0.40 
像面        ∞   
非球面データ
第7面
K =-1.69260e+000  A 4= 7.35961e-004  A 6= 4.02138e-006  A 8= 4.27135e-007  A10=
-1.82160e-008  
第12面
K =-1.35343e+000  A 4= 5.70480e-005  A 6= 3.68881e-006  A 8= 3.75286e-006  A10=
-2.39096e-007  
第13面
K =-1.55159e+002  A 4=-4.68124e-005  A 6= 1.55281e-005  A 8= 2.92922e-006  A10=
-2.03532e-007  
各種データ
ズーム比     12.71 
広角     中間     望遠
焦点距離       6.29    25.29    80.00  
Fナンバー      3.48     4.85     6.09  
画角          32.02     8.73     2.72  
像高           3.33     3.88     3.88  
レンズ全長    48.34    55.92    71.61  
BF             9.25    17.42     6.13  
d 5            1.14    13.69    23.74  
d11           15.48     3.43     0.50  
d18            1.00     2.11     1.82  
d20            3.69     1.50    21.63  
d22            8.32    16.49     5.21  
ズームレンズ群データ
群  始面    焦点距離  
1    1      38.00  
2    6      -7.19  
3   12      10.52  
4   19     -23.50  
5   21      24.74  
6   23       ∞    
【００４２】
［数値実施例５］
単位 mm
面データ
面番号       r        d      nd         νd
1         46.956    0.90   1.84666    23.9           
2         28.657    2.40   1.49700    81.5           
3        383.163    0.20                             
4         28.893    1.95   1.69680    55.5           
5        126.728  (可変)                             
6       -112.475    0.95   1.85135    40.1           
7*         5.364    2.13                             
8        -34.451    0.60   1.80400    46.6           
9         19.993    0.20                             
10         10.523    1.30   1.92286    18.9           
11         59.521  (可変)                             
12*         7.637    1.40   1.58313    59.4           
13*       -48.324    0.92                             
14(絞り)    ∞       1.48                             
15         13.710    0.60   1.94595    18.0           
16          7.544    0.48                             
17         60.712    1.45   1.60311    60.6           
18         -9.339  (可変)                             
19        -15.865    0.50   1.48749    70.2           
20         45.081  (可変)                             
21         17.556    2.20   1.69680    55.5           
22        -32.092    0.60   1.92286    18.9           
23        -67.453  (可変)                             
24          ∞       0.80   1.51633    64.1           
25          ∞       0.40 
像面        ∞   
非球面データ
第7面
K =-1.08028e+000  A 4= 7.05087e-004  A 6= 2.09739e-005  A 8=-7.34249e-007  A10=
2.84558e-008  
第12面
K =-1.42301e+000  A 4= 8.27856e-005  A 6= 1.64853e-005  A 8= 2.43605e-006  A10=
-2.21873e-007  
第13面
K =-1.65690e+002  A 4= 1.77865e-005  A 6= 2.70905e-005  A 8= 1.92902e-006  A10=
-2.07273e-007  
各種データ
ズーム比     13.61 
広角     中間     望遠
焦点距離       5.01    16.66    68.25  
Fナンバー      3.08     4.34     6.08  
画角          38.19    13.13     3.22  
像高           3.33     3.88     3.88  
レンズ全長    46.71    55.70    80.72  
BF             7.63    14.77     8.37  
d 5            0.69    11.39    26.74  
d11           14.63     3.75     0.69  
d18            1.90     2.45     3.59  
d20            1.60     3.07    21.07  
d23            6.70    13.85     7.44  
ズームレンズ群データ
群  始面    焦点距離  
1    1      43.29  
2    6      -6.64  
3   12      10.25  
4   19     -24.01  
5   21      21.81  
6   24       ∞    
前述の各条件式と数値実施例における諸数値の関係を表１に示す 
【００４３】
【表１】
0005523007.tif 000003
【００４４】
次に各実施例に示したようなズームレンズを撮影光学系として用いたデジタルスチルカメラの実施形態を図１１を用いて説明する。図１１において、２０はカメラ本体、２１は実施例１〜６で説明したいずれかのズームレンズによって構成された撮影光学系である。２２はカメラ本体に内蔵され、撮影光学系２１によって形成された被写体像を受光するＣＣＤセンサやＣＭＯＳセンサ等の固体撮像素子（光電変換素子）である。２３は固体撮像素子２２によって光電変換された被写体像に対応する情報を記録するメモリである。２４は液晶ディスプレイパネル等によって構成され、固体撮像素子２２上に形成された被写体像を観察するためのファインダである。このように本発明のズームレンズをデジタルスチルカメラ等の撮像装置に適用することにより、小型で高い光学性能を有する撮像装置が実現できる。
【符号の説明】
【００４５】
Ｌ１…第１レンズ群、Ｌ２…第２レンズ群、Ｌ３…第３レンズ群、Ｌ４…第４レンズ群、Ｌ５…第５レンズ群、ＳＰ…絞り、ＩＰ…結像面、Ｇ…ＣＣＤのフォースプレートやローパスフィルター等のガラスブロック
【図１】
0005523007.tif 000004
【図２】
0005523007.tif 000005
【図３】
0005523007.tif 000006
【図４】
0005523007.tif 000007
【図５】
0005523007.tif 000008
【図６】
0005523007.tif 000009
【図７】
0005523007.tif 000010
【図８】
0005523007.tif 000011
【図９】
0005523007.tif 000012
【図１０】
0005523007.tif 000013
【図１１】
0005523007.tif 000014